(57)【要約】【課題】厚紙の剥がれや傷がなく、かつ容易にハンドリングができる紙貼り軽量気泡コンクリートパネルの段積み方法を提供する。【解決手段】両壁面上にボール紙またはクラフト紙等の厚紙が貼着された紙被覆ＡＬＣパネルを水平に段積みする構造であって、上段の紙被覆ＡＬＣパネルと下段の紙被覆ＡＬＣパネルとの隙間に、少なくとも２枚のシート状部材を介在させる。また、前記シート状部材は、固定部材により前記紙被覆ＡＬＣパネル表面に仮止めされている。さらに、前記シート状部材が互いに摺動する面の一表面は、低摩擦面である。【選択図】    図１
2004232221.tif 000002
【特許請求の範囲】
【請求項１】
両壁面上に厚紙が貼着された紙被覆ＡＬＣパネルが、上段パネルと下段パネルとの隙間に、少なくとも２枚のシート状部材を介在させて水平に積み重ねられていることを特徴とするパネル段積み構造。
【請求項２】
前記シート状部材は、固定部材により前記紙被覆ＡＬＣパネル表面に仮止めされている請求項１記載のパネル段積み構造。
【請求項３】
前記２枚のシート状部材が、互いに摺動する面の一表面が低摩擦面である請求項１または請求項２に記載のパネル段積み構造。
【発明の詳細な説明】
【０００１】
【発明の属する技術分野】
本発明は、両方の壁面に厚紙が貼着された紙被ＡＬＣパネルの段積み構造に関するものである。
【０００２】
【従来の技術】
ＡＬＣパネルは、従来から外壁や間仕切りとして広く用いられており、建て込み後において外壁の室内側や間仕切りの両表面に直接、紙（例えば、特許文献１および２参照）、繊維類、プラスチック類、および鉱物類を主な構成材料としてシート状に成形した壁紙やクロスなどの壁装材による内装仕上げが施こされている。
【０００３】
この場合、前記ＡＬＣパネル表面にザラツキや凹凸段差があると、前記ザラツキや凹凸段差の窪みの陰影による表面不陸が発生していた。そこで、図８に示すように、前記ザラツキや凹凸段差などを解消するために、前記ＡＬＣパネル１の一方の壁面９０にボール紙やクラフト紙等の厚紙５０を、予め工場で貼り付けた紙被覆パネル１０が開発されている（例えば、特許文献３）。
【０００４】
前記紙被覆パネル１０は、前記厚紙５０の貼り付け後の表面平滑性に優れている。その結果、前記紙被覆パネル１０表面に直接前記壁装材による内装仕上げを施しても、表面不陸が発生することがない。
【０００５】
また、前記紙被覆パネル１０は、工場で前記ＡＬＣパネル１の表面に厚紙５０を貼り付け、水平に段積みされた状態でトラックに積み込まれたのち、建築現場まで輸送される。前記紙被覆パネル１０の段積みの際には、トラックへの積込みや建築現場での荷下ろしなどのハンドリングの容易性や輸送中の安定性などが考慮される。
【０００６】
一般的には、前記紙被覆パネル１０は、５〜６枚段積みした状態を１単位として、積込みや荷下ろしおよび前記紙被覆パネル１０の一枚毎の移動など種々のハンドリングが行われる。この時、図６および図７に示すように段積み状態の前記紙被覆パネル１０において、最上部の前記紙被覆パネル１０ａの上面を除いては、前記厚紙５０面とＡＬＣパネル１の壁面９０とが直接当接した状態となっている。この時の段積み方法（例えば、特許文献４）については、先に提案している。
【０００７】
そして、前記紙被覆パネル１０は、前述したように通常５〜６枚を１単位として段積みされた状態で建築現場に搬入され、仮置きされている。そして、前記紙被覆パネル１０の建て込みを行う際には、最上段にある紙被覆パネル１０ａから一枚ずつ仕分け、建て込み場所近傍まで手で持ち運ばれる。この時、通常二人で紙被覆パネル１０のハンドリングが行われている。
【０００８】
つまり、図６に示すように、二人が前記紙被覆パネル１０の両短辺小口２１側の位置にそれぞれ分かれる。そして、最上部の紙被覆パネル１０ａをその幅方向（図中の矢印、Ｈ方向）に数十ｃｍ程度ずらす。次に、図７に示すように前記紙被覆パネル１０ａの端部側を上方より手で押さえ、紙被覆パネル１０ａの一方の長辺小口面４０ａ側を下方に傾ける。この場合、前記紙被覆パネル１０ａの直下にある紙被覆パネル１０ｂの一方の面取り部３０が支点となる。この時、紙被覆パネル１０ａの裏面側に両手を差し入れられる空間４１ができる。そして、前記空間４１に両手を差し入れ、把持し持ち上げて、所望の場所まで運搬する。
【０００９】
【特許文献１】
特開昭５６−５５３００号公報
【特許文献２】
特開昭５７−８９０５４号公報
【特許文献３】
特願２００２−３８３５８号明細書
【特許文献４】
特願２００２−１９３４１４号明細書
【００１０】
【発明が解決しようとする課題】
前記紙被覆パネル１０のハンドリングの際に、以下の問題が発生する。すなわち、図６および図７に示すように前述したハンドリングを行うと、直下にある紙被覆パネル１０ｂの厚紙５０の表面と、上段側の紙被覆パネル１０の裏面、つまりＡＬＣパネル１の壁面との摩擦により図８に示すような傷５２が発生したり、また端辺５１からの剥がれが発生する。
【００１１】
その結果、前記紙被覆パネル１０の建て込み後において、前述した表面不陸の修正作業や、端辺５１からの剥がれおよび厚紙５０の表面上の傷５２の修復をしなければならなくなる。このことにより、多大な手間や費用が必要となるとともに施工効率が非常に悪くなるという問題があった。
【００１２】
また、前記特許文献４に開示されたハンドリング方法では、両壁面に厚紙５０を貼った紙被覆パネル間に一枚のスペーサを介在させた場合、該スペーサと厚紙５０面との摩擦により上述したような剥がれや傷５０が同時に発生し易い。
そこで、本発明の目的は、両壁面上に厚紙が貼着されたＡＬＣパネルの種々のハンドリングにおいて、端辺からの厚紙の剥がれや厚紙表面上の傷の発生のない紙被覆ＡＬＣパネルの段積み構造を提供することにある。
【００１３】
【課題を解決するための手段】
本発明によるパネル段積み構造は、両壁面に厚紙が貼着された紙被覆ＡＬＣパネルが、上段パネルと下段パネルとの隙間に、少なくとも２枚のシート状部材を介在させて水平に積み重ねられたパネル段積み構造としたものである。
【００１４】
前記シート状部材は、固定部材により前記紙被覆ＡＬＣパネル表面に仮止めされており、また前記２枚のシート状部材が、互いに摺動する面の一表面が低摩擦面としたものである。尚、本発明において低摩擦面とは、２枚の前記シート状部材が互いに摺動する面において、一方の面の摩擦係数が他方の面の摩擦係数より小さい面であることをいう。
【００１５】
【発明の実施の形態】
以下、本発明の紙被覆パネルの段積み構造について、図を参照して説明する。
【００１６】
図１は、本発明の両壁面上に紙被覆されたＡＬＣパネルの段積み構造を示す側面図、図２は両壁面上に紙被覆されたＡＬＣパネルにシート状部材を固定部材で取り付けた一例を示す側面図、図３および図４は両壁面上に紙被覆されたＡＬＣパネルにシート状部材を固定部材で取り付けた他の例を示す斜視図、図５は低摩擦面を設けたシート状部材の断面図である。
【００１７】
図１に示すように、本発明の両壁面上に厚紙５０を貼着した紙被覆ＡＬＣパネル２０の段積み構造は、前記紙被覆ＡＬＣパネル２０間に２枚のシート状部材６０が介在させてある。
【００１８】
そして、前記シート状部材６０は、紙被覆ＡＬＣパネル２０の長さ方向の同位置に２枚一組を重ねた状態で介在させる。このことにより、上述した紙被覆ＡＬＣパネル２０のハンドリング時、すなわち図１に示すように上部側の紙被覆ＡＬＣパネル２０ａを水平方向にずらした場合に、前記紙被覆ＡＬＣパネル２０ａと上部側シート状部材６０ａとが同時に水平方向に動き、下部側シート状部材６０ｂは下段側の紙被覆ＡＬＣパネル２０ｂ上に残留した状態となる。そのため、前記紙被覆ＡＬＣパネル２０ａの厚紙５０と下段側の紙被覆ＡＬＣパネル２０ｂの厚紙５０とが直接当接することがなく、厚紙５０に傷５２が発生したり、端辺５１からの剥がれがなくなる。
【００１９】
また、前記シート状部材６０は、前記紙被覆ＡＬＣパネル２０の長さ方向に、３００ｍｍ〜１０００ｍｍ離間させて載置し、さらに前記シート状部材６０の幅寸法は、２０ｍｍ〜２００ｍｍ程度であれば、前述した摩擦による傷５２や剥がれの発生もなくなり好ましいものとなる。また、図１に示すように前記シート状部材６０は、前記ＡＬＣパネル１の幅Ｗより若干長めとなるように長さ調整すると、前記シート状部材６０を前記ＡＬＣパネル１の長辺小口面４０ａ、４０ｂで容易に固定できるため好ましい。
【００２０】
前記シート状部材６０には、厚さ０．２ｍｍ以上の厚紙、金属板、樹脂板のいずれかを用いることができる。厚紙としては、ボール紙またはクラフト紙などが好適に用いられる。また、金属板としては、鉄、亜鉛、アルミニウムなどが用いられる。また、樹脂板としては、塩化ビニル、ポリプロピレン、ポリエチレン、アクリル、ポリカーボネイト、ポリビニール、ポリスチレンなどのシート状樹脂などが好適に用いられる。
【００２１】
また、図２、図３および図４に示すように、前記シート状部材６０の固定に際しては、ステープル８０や画鋲（図示せず）などの固定部材で仮止めすると、段積み前における前記シート状部材６０の固定や上述したハンドリング後の取り外しが容易となり、作業効率が向上し、好適である。また、前記紙被覆ＡＬＣパネル２０の幅Ｗ方向の外周を覆った状態、つまりリング状としてもよい。このことで、前記シート状部材６０を前記ＡＬＣパネル１の長辺小口面４０ａまたは４０ｂで容易に仮止めでき、さらに厚紙５０をステープル８０で傷つけることもなく好ましい。
【００２２】
また、図３および図４に示すように前記シート状部材６０の固定箇所は、紙被覆ＡＬＣパネル２０の上面または下面の表面部若しくは長辺方向の小口部４０ａ，４０ｂに数カ所程度固定すれば、その機能を充分発揮することができる。
【００２３】
さらに、前記シート状部材６０の仮止めは前記ステープル８０や画鋲のほか、アクリルゴム系の接着剤を用いることができる。このことにより、前記厚紙５０を傷つけることもなく、容易に接着および剥離が可能となり好適である。
【００２４】
また、図５に示すように互いに摺動するシート状部材６０の少なくとも一方の面側７０に低摩擦面６２を設けると、上述した紙被覆ＡＬＣパネル２０のハンドリング時に、前記紙被覆ＡＬＣパネル２０を水平方向にずらした場合に、前記シート状部材６１同士の摩擦が非常に低下し、よりスムースに前記紙被覆ＡＬＣパネル２０が滑り易くなる。その結果、前記厚紙５０の傷５２の発生や端辺５１からの剥がれもなくなる。
【００２５】
前記シート状部材６１の低摩擦面６２の形成は、前記ボール紙製のシート状部材６０の上面から水溶性のシリコンをハケで塗布することで達成することができる。また、前記シート状部材６０を、前記水溶性シリコン溶液に浸漬することにより、前記水溶性シリコン溶液を前記シート状部材６０内に浸透させて、低摩擦面６２を形成することもできる。
【００２６】
【発明の効果】
以上、上述したように本発明の両壁面上に厚紙が貼着されたＡＬＣパネルの段積み構造によれば、該ＡＬＣパネルの段積みや荷下ろしなどのハンドリングの際に、前記紙被覆ＡＬＣパネルの厚紙の端辺からの剥がれや厚紙表面上への傷の発生がないため、容易にハンドリングが行える。
【図面の簡単な説明】
【図１】本発明の紙被覆ＡＬＣパネルの段積み構造を示す側面図。
【図２】紙被覆ＡＬＣパネルにシート状部材を固定部材で取り付けた一例を示す側面図。
【図３】紙被覆ＡＬＣパネルにシート状部材を固定部材で取り付けた一例を示す斜視図。
【図４】紙被覆ＡＬＣパネルにシート状部材を固定部材で取り付けた一例を示す斜視図。
【図５】低摩擦面を設けたシート状部材の断面図。
【図６】一方の壁面上に紙被覆されたＡＬＣパネルを水平にずらした状態を示す側面図。
【図７】図６の紙被覆ＡＬＣパネルの最上段パネルを傾けた状態を示す側面図。
【図８】紙被覆ＡＬＣパネルの厚紙の剥がれや傷の発生を示す斜視図。
【符号の説明】
１  ＡＬＣパネル
１０  一方の壁面上に厚紙が貼着された紙被覆ＡＬＣパネル
２０  両壁面上に厚紙が貼着された紙被覆ＡＬＣパネル
２１  短辺小口
３０  面取り部
４０ａ、４０ｂ  長辺小口面
４１  空間
５０  厚紙
５１  端辺
５２  厚紙面の傷
６０  シート状部材
６０ａ  上部側シート状部材
６０ｂ  下部側シート状部材
６１  シート状部材
６２  低摩擦面
７０  摺動面
８０  ステープル（固定部材）
９０  ＡＬＣパネル壁面
Ｗ    ＡＬＣパネルの幅
Ｈ    ＡＬＣパネルの幅方向
【図１】
2004232221.tif 000003
【図２】
2004232221.tif 000004
【図３】
2004232221.tif 000005
【図４】
2004232221.tif 000006
【図５】
2004232221.tif 000007
【図６】
2004232221.tif 000008
【図７】
2004232221.tif 000009
【図８】
2004232221.tif 000010